(57)【特許請求の範囲】
【請求項１】
上面を有する光透過性の第１電極と、
前記第１電極の上に設けられた有機発光層と、
前記有機発光層の上に設けられ、前記上面に対して平行な第１方向に延び前記上面に対して平行で前記第１方向に対して交差する第２方向に並ぶ複数の導電部を含む光反射性の第２電極と、
を備え、
前記複数の導電部のそれぞれの前記第２方向の長さをＷ１（マイクロメートル）とし、
前記複数の導電部のそれぞれのピッチをＰ１（マイクロメートル）とするとき、
前記Ｗ１と前記Ｐ１とが、Ｗ１≧−６４７（１−Ｗ１／Ｐ１）＋５１１の関係を満たすとともに、Ｗ１≦−８８２（１−Ｗ１／Ｐ１）＋８４７の関係を満たし、
（１−Ｗ１／Ｐ１）は、０．５５以上０．８５以下であり、
前記Ｗ１は、７５μｍ以上３００μｍ以下である有機電界発光素子。
【請求項２】
前記Ｗ１と前記Ｐ１とは、Ｗ１≧−６４７（１−Ｗ１／Ｐ１）＋５９５の関係をさらに満たす請求項１記載の有機電界発光素子。
【請求項３】
前記第１電極と前記有機発光層との間に設けられ、前記第１方向に延び前記第２方向に並ぶ複数の配線部を含む光反射性の配線層を、さらに備え、
前記配線部の前記第２方向の長さをＷｈ（マイクロメートル）とし、
前記上面に対して平行な平面に投影したときの前記導電部の投影像と前記配線部の投影像とのピッチをＰｐ（マイクロメートル）とするとき、
前記Ｗ１と前記Ｐｐとが、Ｗ１≧−６４７（１−Ｗ１／Ｐｐ）＋５１１の関係を満たし、
前記Ｗｈと前記Ｐｐとが、Ｗｈ≧−６４７（１−Ｗｈ／Ｐｐ）＋５１１の関係を満たす請求項１または２に記載の有機電界発光素子。
【請求項４】
上面を有する光透過性の第１電極と、
前記第１電極の上に設けられた有機発光層と、
前記有機発光層の上に設けられた光透過性の第２電極と、
前記第２電極の上に設けられ、前記上面に対して平行な第１方向に延び前記上面に対して平行で前記第１方向に対して交差する第２方向に並ぶ複数の配線部を含む光反射性の配線層と、
を備え、
前記複数の配線部のそれぞれの前記第２方向の長さをＷｈ（マイクロメートル）とし、
前記複数の配線部のそれぞれのピッチをＰｈ（マイクロメートル）とするとき、
前記Ｗｈと前記Ｐｈとが、Ｗｈ≧−６４７（１−Ｗｈ／Ｐｈ）＋５１１の関係を満たすとともに、Ｗｈ≦−８８２（１−Ｗｈ／Ｐｈ）＋８４７の関係を満たし、
（１−Ｗｈ／Ｐｈ）は、０．５５以上０．８５以下であり、
前記Ｗｈは、７５μｍ以上３００μｍ以下である有機電界発光素子。
【請求項５】
請求項１〜４のいずれか１つに記載の有機電界発光素子と、
前記第１電極と前記第２電極とに電気的に接続され、前記第１電極及び前記第２電極を介して前記有機発光層に電流を供給する電源部と、
を備えた照明装置。
【請求項６】
請求項１〜４のいずれか１つに記載の複数の有機電界発光素子と、
前記複数の有機電界発光素子のそれぞれと電気的に接続され、前記複数の有機電界発光素子のそれぞれの点灯・消灯を制御する制御部と、
を備えた照明システム。
【発明の詳細な説明】
【技術分野】
【０００１】
本発明の実施形態は、有機電界発光素子、照明装置及び照明システムに関する。
【背景技術】
【０００２】
光透過性の第１電極と、第２電極と、第１電極と第２電極との間に設けられた有機発光層と、を含む有機電界発光素子がある。有機電界発光素子を光源として用いた照明装置がある。複数の有機電界発光素子と、これら複数の有機電界発光素子の点灯及び消灯を制御する制御部と、を含む照明システムがある。有機電界発光素子では、複数の開口が設けられた細線状の第２電極や、光透過性の第２電極を用いることにより、光透過性を持たせることが行われている。こうした有機電界発光素子において、透過像の視認性の向上が望まれる。
【先行技術文献】
【特許文献】
【０００３】
【特許文献１】特開２０１１−２４９５４１号公報
【発明の概要】
【発明が解決しようとする課題】
【０００４】
本発明の実施形態は、透過像の視認性の高い有機電界発光素子、照明装置及び照明システムを提供する。
【課題を解決するための手段】
【０００５】
本発明の実施形態によれば、第１電極と、有機発光層と、第２電極と、を備えた有機電界発光素子が提供される。前記第１電極は、上面を有し、光透過性である。前記有機発光層は、前記第１電極の上に設けられる。前記第２電極は、前記有機発光層の上に設けられ、前記上面に対して平行な第１方向に延び前記上面に対して平行で前記第１方向に対して交差する第２方向に並ぶ複数の導電部を含み、光反射性である。前記複数の導電部のそれぞれの前記第２方向の長さをＷ１（マイクロメートル）とする。前記複数の導電部のそれぞれのピッチをＰ１（マイクロメートル）とする。前記Ｗ１と前記Ｐ１とが、Ｗ１≧−６４７（１−Ｗ１／Ｐ１）＋５１１の関係を満たすとともに、Ｗ１≦−８８２（１−Ｗ１／Ｐ１）＋８４７の関係を満たす。（１−Ｗ１／Ｐ１）は、０．５５以上０．８５以下である。前記Ｗ１は、７５μｍ以上３００μｍ以下である。
【図面の簡単な説明】
【０００６】
【図１】図１（ａ）及び図１（ｂ）は、第１の実施形態に係る有機電界発光素子を表す模式図である。
【図２】図２（ａ）〜図２（ｄ）は、実験結果の一例を示す表である。
【図３】実験結果の一例を示すグラフ図である。
【図４】図４（ａ）〜図４（ｄ）は、実験結果の一例を示す表である。
【図５】実験結果の一例を示すグラフ図である。
【図６】図６（ａ）〜図６（ｄ）は、実験結果の一例を示す表である。
【図７】図７（ａ）〜図７（ｃ）は、実験結果の一例を示すグラフ図である。
【図８】実験結果の一例を示すグラフ図である。
【図９】図９（ａ）〜図９（ｄ）は、実験結果の一例を示す表である。
【図１０】図１０（ａ）〜図１０（ｄ）は、実験結果の一例を示す表である。
【図１１】図１１（ａ）〜図１１（ｄ）は、実験結果の一例を示す表である。
【図１２】図１２（ａ）〜図１２（ｄ）は、実験結果の一例を示す表である。
【図１３】図１３（ａ）〜図１３（ｄ）は、実験結果の一例を示す表である。
【図１４】図１４（ａ）〜図１４（ｄ）は、実験結果の一例を示す表である。
【図１５】図１５（ａ）〜図１５（ｆ）は、実験結果の一例を示すグラフ図である。
【図１６】実験結果の一例を示すグラフ図である。
【図１７】第１の実施形態に係る有機電界発光素子の一部を表す模式的断面図である。
【図１８】第１の実施形態に係る別の有機電界発光素子の一部を表す模式的平面図である。
【図１９】図１９（ａ）及び図１９（ｂ）は、第１の実施形態に係る別の有機電界発光素子を表す模式的断面図である。
【図２０】図２０（ａ）〜図２０（ｃ）は、第１の実施形態に係る別の有機電界発光素子を表す模式図である。
【図２１】図２１（ａ）及び図２１（ｂ）は、第１の実施形態に係る別の有機電界発光素子を表す模式図である。
【図２２】図２２（ａ）及び図２２（ｂ）は、第１の実施形態に係る別の有機電界発光素子を表す模式図である。
【図２３】図２３（ａ）及び図２３（ｂ）は、第１の実施形態に係る別の有機電界発光素子を表す模式図である。
【図２４】第１の実施形態に係る別の有機電界発光素子を表す模式的断面図である。
【図２５】第２の実施形態に係る照明装置を表す模式図である。
【図２６】図２６（ａ）及び図２６（ｂ）は、第３の実施形態に係る照明システムを表す模式図である。
【発明を実施するための形態】
【０００７】
以下に、各実施の形態について図面を参照しつつ説明する。  
なお、図面は模式的または概念的なものであり、各部分の厚みと幅との関係、部分間の大きさの比率などは、必ずしも現実のものと同一とは限らない。また、同じ部分を表す場合であっても、図面により互いの寸法や比率が異なって表される場合もある。  
なお、本願明細書と各図において、既出の図に関して前述したものと同様の要素には同一の符号を付して詳細な説明は適宜省略する。
【０００８】
（第１の実施の形態）
図１（ａ）及び図１（ｂ）は、第１の実施形態に係る有機電界発光素子を表す模式図である。  
図１（ａ）は、模式的断面図であり、図１（ｂ）は、模式的平面図である。  
図１（ａ）は、図１（ｂ）のＡ１−Ａ２線断面図である。これらの図は、本実施形態に係る有機電界発光素子の一部を拡大して例示している。  
図１（ａ）及び図１（ｂ）に表したように、有機電界発光素子１１０は、積層体ＳＢを含む。積層体ＳＢは、第１電極１０と、第２電極２０と、有機発光層３０と、を含む。この例において、積層体ＳＢは、絶縁層４０をさらに含む。絶縁層４０は、必要に応じて設けられ、省略可能である。
【０００９】
第１電極１０は、上面１０ａを有する。第１電極１０は、光透過性を有する。第１電極１０は、例えば、透明電極である。
【００１０】
ここで、上面１０ａに対して垂直な方向をＺ軸方向とする。上面１０ａに対して平行な１つの方向をＸ軸方向とする。Ｘ軸方向及びＺ軸方向に対して垂直な方向をＹ軸方向とする。Ｘ軸方向及びＹ軸方向は、Ｚ軸方向に対して垂直な方向である。Ｚ軸方向は、第１電極１０の厚さ方向に相当する。
【００１１】
絶縁層４０は、光透過性である。絶縁層４０は、例えば、透明である。絶縁層４０は、第１電極１０の上面１０ａの上に設けられる。絶縁層４０は、絶縁部４０ａと、開口部４０ｂと、を有する。絶縁層４０は、例えば、複数の絶縁部４０ａと、複数の開口部４０ｂと、を有する。複数の絶縁部４０ａのそれぞれは、上面１０ａに対して平行な第１方向に延び、上面１０ａに対して平行で第１方向に対して交差する第２方向に並ぶ。この例では、複数の絶縁部４０ａのそれぞれが、Ｘ軸方向に並び、Ｙ軸方向に延びる。すなわち、この例において、第１方向は、Ｙ軸方向であり、第２方向は、Ｘ軸方向である。この例では、第２方向が、第１方向に対して垂直である。第２方向は、第１方向に対して交差する任意の方向でよい。
【００１２】
複数の開口部４０ｂのそれぞれは、複数の絶縁部４０ａのそれぞれの間に設けられる。この例では、複数の開口部４０ｂのそれぞれが、Ｙ軸方向に延び、Ｘ軸方向に並ぶ。すなわち、この例では、複数の開口部４０ｂのそれぞれが、溝状である。複数の開口部４０ｂのそれぞれは、第１電極１０の一部を露呈させる。この例では、複数の開口部４０ｂのそれぞれにより、第１電極１０の複数の部分が露呈される。以下では、第１電極１０のうちの開口部４０ｂによって露呈された部分を、露呈部１０ｐと称す。
【００１３】
有機発光層３０は、第１電極１０の上面１０ａの上に設けられる。この例では、有機発光層３０が、絶縁層４０の上に設けられる。換言すれば、絶縁層４０は、第１電極１０と有機発光層３０との間に設けられる。有機発光層３０は、例えば、絶縁層４０の全体の上に設けられる。この例において、有機発光層３０は、第１電極１０の複数の露呈部１０ｐのそれぞれの上に延在する部分と、絶縁層４０の複数の絶縁部４０ａのそれぞれの上に延在する部分と、を含む。有機発光層３０は、例えば、光透過性を有する。有機発光層３０は、例えば、透明である。
【００１４】
有機発光層３０の厚さ（Ｚ軸方向に沿う長さ）は、絶縁層４０（絶縁部４０ａ）の厚さよりも薄い。有機発光層３０の露呈部１０ｐの上に延在する部分の上面３０ｕと第１電極１０の上面１０ａとの間のＺ軸方向の距離は、絶縁層４０の絶縁部４０ａの上面４０ｕと第１電極１０の上面１０ａとの間のＺ軸方向の距離よりも短い。すなわち、上面３０ｕは、上面４０ｕよりも下に位置する。
【００１５】
第２電極２０は、有機発光層３０の上に設けられる。第２電極２０は、複数の導電部２０ａと、複数の開口部２０ｂと、を有する。複数の導電部２０ａのそれぞれは、第１方向に延び、第２方向に並ぶ。この例では、複数の導電部２０ａのそれぞれが、Ｙ軸方向に延び、Ｘ軸方向に並ぶ。複数の導電部２０ａのそれぞれは、上面１０ａに対して平行な平面（Ｘ−Ｙ平面）に投影したときに、複数の露呈部１０ｐのうちのいずれかと重なる位置に配置される。この例では、複数の導電部２０ａのそれぞれの間隔が、複数の絶縁部４０ａのそれぞれの間隔と異なる。この例では、Ｘ−Ｙ平面に投影したときに、複数の導電部２０ａのそれぞれの間に、３つの開口部４０ｂが配置される。Ｘ−Ｙ平面に投影したときに、複数の導電部２０ａのそれぞれの間に配置される開口部４０ｂの数は、任意である。複数の導電部２０ａのそれぞれの間には、開口部４０ｂを配置しなくてもよい。すなわち、複数の導電部２０ａのそれぞれは、Ｘ−Ｙ平面に投影したときに、複数の露呈部１０ｐのそれぞれと重なってもよい。
【００１６】
複数の開口部２０ｂのそれぞれは、複数の導電部２０ａのそれぞれの間に配置される。この例において、複数の開口部２０ｂのそれぞれは、Ｙ軸方向に延びる溝状である。複数の開口部２０ｂのそれぞれは、Ｙ軸方向に延び、Ｘ軸方向に並ぶ。この例では、第２電極２０及び絶縁層４０が、ストライプ状である。
【００１７】
第２電極２０（導電部２０ａ）は、例えば、光反射性を有する。第２電極２０の光反射率は、第１電極１０の光反射率よりも高い。本願明細書においては、第１電極１０の光反射率よりも高い光反射率を有している状態を光反射性という。
【００１８】
有機発光層３０は、複数の開口部４０ｂのそれぞれを介して第１電極１０と電気的に接続される。有機発光層３０は、例えば、複数の開口部４０ｂのそれぞれを介して第１電極１０の複数の露呈部１０ｐのそれぞれに接する。これにより、有機発光層３０が、第１電極１０と電気的に接続される。
【００１９】
有機発光層３０は、第２電極２０と電気的に接続される。有機発光層３０は、例えば、複数の導電部２０ａのそれぞれに接する。これにより、有機発光層３０が、第２電極２０と電気的に接続される。なお、本願明細書において、「電気的に接続」には、直接接触する場合のほか、間に他の導電部材などが介在する場合も含む。
【００２０】
第１電極１０と第２電極２０とを用いて有機発光層３０に電流を流す。これにより、有機発光層３０が発光する。有機発光層３０は、例えば、電流が流れた場合に、電子と正孔とを再結合させ、励起子を生成する。有機発光層３０は、例えば、励起子が放射失活する際の光の放出を利用して発光する。
【００２１】
有機電界発光素子１１０では、有機発光層３０のうちの露呈部１０ｐと導電部２０ａとの間の部分が、発光領域ＥＡとなる。この例において、有機発光層３０は、複数の露呈部１０ｐのそれぞれと複数の導電部２０ａのそれぞれとの間の複数の発光領域ＥＡを有する。絶縁層４０は、例えば、第２電極２０の形成の際に、パターニング用のマスク（例えばメタルマスク）と有機発光層３０の発光領域ＥＡとなる部分との接触を抑制する接触防止層として機能する。絶縁層４０を設けることにより、例えば、有機電界発光素子１１０の歩留まりを向上できる。
【００２２】
発光領域ＥＡから発せられた発光ＥＬは、第１電極１０を介して、有機電界発光素子１１０の外部に出射する。発光ＥＬの一部は、第２電極２０で反射し、有機発光層３０及び第１電極１０を介して外部に出射する。すなわち、有機電界発光素子１１０は、片面発光型である。
【００２３】
また、有機電界発光素子１１０では、外部から入射する外光ＯＬが、複数の導電部２０ａのそれぞれの間の部分の第１電極１０、有機発光層３０及び絶縁層４０を透過する。このように、有機電界発光素子１１０は、発光ＥＬを出射させつつ、外部から有機電界発光素子１１０に入射する外光ＯＬを透過させる。このように、有機電界発光素子１１０は、光透過性を有する。これにより、有機電界発光素子１１０では、有機電界発光素子１１０を介して、背景の像を視認できる。すなわち、有機電界発光素子１１０は、シースルー可能な薄膜状または板状の光源である。
【００２４】
このように、実施形態の有機電界発光素子１１０によれば、光透過性の有機電界発光素子を提供できる。この有機電界発光素子１１０を照明装置に応用した場合、照明機能の他に、背景像を透過させる機能により、種々の新たな応用が可能になる。
【００２５】
導電部２０ａの幅をＷ１とする。各導電部２０ａのピッチをＰ１とする。幅Ｗ１は、導電部２０ａのＸ軸方向の長さである。ピッチＰ１は、例えば、隣り合う２つの導電部２０ａのＸ軸方向の中心間のＸ軸方向の距離である。
【００２６】
本実施形態に係る有機電界発光素子１１０は、各導電部２０ａの幅Ｗ１及びピッチＰ１が、Ｗ１≧−６４７（１−Ｗ１／Ｐ１）＋５１１の関係を満たす。これにより、透過像の視認性を高めることができる。
【００２７】
光透過性の有機電界発光素子では、第２電極２０を見え難くするために、導電部２０ａの幅を狭くすることが求められている。導電部２０ａの幅を狭くすると、発光領域の面積が縮小される。このため、例えば、第２電極２０をストライプ状のパターン形状とした場合に、第２電極２０を見え難くしつつ、適切な発光輝度を得るためには、導電部２０ａの幅を狭くしつつ、複数の導電部２０ａのピッチを狭くする必要がある。しかしながら、ピッチを狭くすると、透過像の視認性が低下してしまう。例えば、透過像が、ぼやけてしまう。これは、例えば、光の回折に起因しているものと考えられる。
【００２８】
そこで、本願発明者らは、導電部２０ａの幅やピッチと、透過像の視認性の低下と、の関係性について実験を行った。
【００２９】
本願発明者らは、まず、第２電極２０の各導電部２０ａの幅とピッチとを変化させた複数の試料を作成し、各試料について各導電部２０ａが視認できるか否かを実験した。試料では、ガラス基板上にストライプ状の金属薄膜をパターニングした（以下、金属パターンと称す）。これにより、第２電極２０をＸ−Ｙ平面に投影したときの形状を模擬的に形成した。
【００３０】
金属パターンに含まれる１つの金属線の幅をＷｓとする。幅Ｗｓは、導電部２０ａの幅Ｗ１に相当する。各金属線のピッチをＰｓとする。ピッチＰｓは、各導電部２０ａのピッチＰ１に相当する。実験では、幅Ｗｓの異なる複数の試料を用意した。そして、１つの幅Ｗｓについて、ピッチＰｓの異なる複数の試料を用意した。すなわち、開口率ＡＲ＝（１−Ｗｓ／Ｐｓ）の異なる複数の試料を用意した。具体的には、幅Ｗｓは、５０μｍ、１００μｍ、１５０μｍ、２００μｍとした。そして、それぞれの幅Ｗｓについて、開口率ＡＲを、０．５５、０．６０、０．６５、０．７０、０．７５、０．８０、０．８５、０．９０とした。すなわち、実験では、幅Ｗｓについて４種類、開口率ＡＲについて８種類の、計３２種類の試料を用意した。
【００３１】
実験では、各試料のそれぞれについて、試料と被験者との間の距離Ｌ１を本実施形態に係る有機電界発光素子１１０の利用状況から想定される最短距離の１ｍとして評価を行った。すなわち、照明装置は、一般的に試料から１ｍ以上離れた位置に設けられて用いられる。実験において、被験者は、一人である。被験者の視力は、１．５である。被験者は、試料の金属パターンの設けられた面に対して、ほぼ正対させた。実験において、背景は、均一な白色とした。
【００３２】
図２（ａ）〜図２（ｄ）は、実験結果の一例を示す表である。  
図２（ａ）は、金属線の幅Ｗｓを５０μｍとした各試料の評価結果を表す。図２（ｂ）は、金属線の幅Ｗｓを１００μｍとした各試料の評価結果を表す。図２（ｃ）は、金属線の幅Ｗｓを１５０μｍとした各試料の評価結果を表す。図２（ｄ）は、金属線の幅Ｗｓを２００μｍとした各試料の評価結果を表す。図２（ａ）〜図２（ｄ）では、金属パターンが視認できなかった試料に「○」を付し、視認できた試料に「×」を付している。
【００３３】
ここで、金属線（導電部２０ａ）が「視認できない」とは、人間の視覚によって完全に認識できないもののほか、例えば、隣り合う線の像と重なって１本の線として認識できない場合なども含む。すなわち、本願明細書において、「視認できない」とは、各金属線（導電部２０ａ）のパターン形状を実質的に認識できない状態である。
【００３４】
図３は、実験結果の一例を示すグラフ図である。  
図３は、図２（ａ）〜図２（ｄ）の結果から得られた開口率ＡＲと金属線幅Ｗｓとの関係をプロットしたグラフ図である。なお、被験者の視力は１．５であるが、標準的な視力は１．０である。人間の視覚特性より配線の視認性は視角により定まるものであることから、図３のプロットでは標準的な視力１．０を想定して、金属線幅Ｗｓは図２の値の１．５倍としている。開口率は比Ｗｓ／Ｐｓによるものなので不変である。視力１．０は、換言すれば、２０／２０（twenty-twenty）である。
【００３５】
金属線（導電部２０ａ）の視認性は、金属線の幅Ｗｓ、または、金属線の間隔（Ｐｓ−Ｗｓ）だけでは決まらず、図３に表したように金属線の幅Ｗｓと陰極開口率ＡＲ＝（１−Ｗｓ／Ｐｓ）の両方に依存する。図より、例えば、開口率ＡＲ＝０．９５では、金属線が視認できなくなる条件が得られないことがわかる。
【００３６】
図３に表したように、開口率ＡＲと金属線の幅Ｗｓとの関係は、一次関数ＤＦ１で表すことができる。一次関数ＤＦ１は、具体的には、Ｗｓ＝−８８２ＡＲ＋８４７である。図３において、一次関数ＤＦ１よりも左側の領域が、金属線の視認できない領域である。そして、一次関数ＤＦ１よりも右側の領域が、金属線の視認できる領域である。すなわち、幅Ｗｓ及びピッチＰｓが、Ｗｓ≦−８８２ＡＲ＋８４７の関係を満たすようにする。これにより、金属線を視認できなくすることができる。
【００３７】
第２電極２０において、各導電部２０ａの幅Ｗ１及びピッチＰ１が、Ｗ１≦−８８２ＡＲ＋８４７の関係を満たすようにする。より具体的には、Ｗ１≦−８８２（１−Ｗ１／Ｐ１）＋８４７の関係を満たすようにする。これにより、本実施形態の利用状況から想定される最短距離の１ｍでは、第２電極２０において、各導電部２０ａを視認できなくすることができる。但し、上記の各関係式において、Ｗｓ、Ｐｓ、Ｗ１、及び、Ｐ１の単位は、それぞれマイクロメートルである。
【００３８】
本願発明者らは、各導電部２０ａが視認できるか否かについて、さらに実験を行った。実験では、被験者の人数を３人とした。被験者Ａの視力は、矯正視力で１．５である。被験者Ｂの視力は、裸眼視力で１．５である。被験者Ｃの視力は、矯正視力で１．５である。そして、距離Ｌ１を、１．０ｍとして評価を行った。その他の実験条件は、上記と実質的に同じである。
【００３９】
図４（ａ）〜図４（ｄ）は、実験結果の一例を示す表である。  
図４（ａ）は、金属線の幅Ｗｓを５０μｍとした各試料の評価結果を表す。図４（ｂ）は、金属線の幅Ｗｓを１００μｍとした各試料の評価結果を表す。図４（ｃ）は、金属線の幅Ｗｓを１５０μｍとした各試料の評価結果を表す。図４（ｄ）は、金属線の幅Ｗｓを２００μｍとした各試料の評価結果を表す。
【００４０】
図４（ａ）〜図４（ｄ）において、Ｗｓ１．５は、各被験者の視力を１．０に換算したときの金属線の幅である。また、実験では、各試料のそれぞれについて、各被験者の評価の平均を求めた。図４（ａ）〜図４（ｄ）では、２人以上の被験者が「○」と判定した試料の平均を「○」とし、「○」と判定した被験者が１人以下の試料の平均を「×」としている。
【００４１】
図５は、実験結果の一例を示すグラフ図である。  
図５は、図４（ａ）〜図４（ｄ）の結果から得られた開口率ＡＲと金属線幅Ｗｓとの関係をプロットしたグラフ図である。図５では、各被験者の評価の平均をまとめている。また、図５において、金属線の幅Ｗｓには、図４（ａ）〜図４（ｄ）のＷｓ１．５の値を用いている。
【００４２】
図５に表したように、開口率ＡＲと金属線の幅Ｗｓとの関係は、一次関数ＤＦ１１で表すことができる。一次関数ＤＦ１１は、具体的には、Ｗｓ＝−８８２ＡＲ＋８４７である。すなわち、一次関数ＤＦ１１は、一次関数ＤＦ１と実質的に同じである。
【００４３】
このように、被験者の人数を３人に増やした実験においても、１人の被験者で、距離Ｌ１＝１ｍとした場合の実験と実質的に同じ結果が得られた。従って、第２電極２０において、各導電部２０ａの幅Ｗ１及びピッチＰ１が、Ｗ１≦−８８２ＡＲ＋８４７の関係を満たすようにする。より具体的には、Ｗ１≦−８８２（１−Ｗ１／Ｐ１）＋８４７の関係を満たすようにする。これにより、各導電部２０ａを視認できなくすることができる。但し、上記の各関係式において、Ｗｓ、Ｐｓ、Ｗ１、及び、Ｐ１の単位は、それぞれマイクロメートルである。
【００４４】
次に、本願発明者らは、上記の実験と同じ複数の試料を用い、各試料について透過像がぼけるか否かを実験した。実験では、観察対象物と被験者との間に試料を配置した。観察対象物と試料と被験者とは、ほぼ直線状に並べた。被験者は、試料の金属パターンの設けられた面に対して、ほぼ正対させた。観察対象物には、文字“ＡＢＣ”を用いた。試料と被験者との間の距離Ｌ１は、１ｍとした。実験では、各試料のそれぞれについて、観察対象物と試料との間の距離Ｌ２を変化させ、複数の距離Ｌ２で評価を行った。具体的には、距離Ｌ２を、０．６ｍ、１．２ｍ、１０ｍに変化させて評価を行った。実験において、被験者は、一人である。被験者の視力は、１．５である。透過像のぼけは、視力に関係しないので、金属線の視認性の実験とは異なり、以下では視力による補正は行っていない。
【００４５】
また、観察対象物には、フォントサイズの異なる複数の文字列“ＡＢＣ”を並べて設けた。フォントサイズは、２５Ｐｔ（ポイント）、３２Ｐｔ、３６Ｐｔ、４０Ｐｔ、４８Ｐｔ、５４Ｐｔ、６０Ｐｔ、７２Ｐｔ、８８Ｐｔ、及び、７００Ｐｔに変化させた。被験者の視力で適切に視認できる大きさの文字列では、フォントサイズの違いによって、透過像のぼけの具合は、実質的に変化しなかった。距離Ｌ２が遠い場合（例えば１０ｍ）には、７００Ｐｔの文字列で評価を行った。なお、「透過像のぼけ」とは、例えば、ヘイズ（光の拡散）や回折などによって観察対象物が多重に見えることをいう。透過像のぼけが生じている状態とは、例えば、試料（有機電界発光素子）を介して観察対象物を見た場合と、試料を介さずに観察対象物を見た場合と、で、観察対象物の見え方に違いがある状態である。
【００４６】
図６（ａ）〜図６（ｄ）は、実験結果の一例を示す表である。  
図６（ａ）は、金属線の幅Ｗｓを５０μｍとした各試料の評価結果を表す。図６（ｂ）は、金属線の幅Ｗｓを１００μｍとした各試料の評価結果を表す。図６（ｃ）は、金属線の幅Ｗｓを１５０μｍとした各試料の評価結果を表す。図６（ｄ）は、金属線の幅Ｗｓを２００μｍとした各試料の評価結果を表す。
【００４７】
図６（ａ）〜図６（ｄ）では、透過像のぼけが気にならなかった（ぼけが認識されなかった）試料に「◎」を付し、透過像のぼけが許容できる程度に認識された試料に「○」を付し、透過像のぼけが許容できない試料に「×」を付している。
【００４８】
図７（ａ）〜図７（ｃ）は、実験結果の一例を示すグラフ図である。  
図７（ａ）は、距離Ｌ２＝０．６ｍの実験結果をまとめたグラフ図である。  
図７（ｂ）は、距離Ｌ２＝１．２ｍの実験結果をまとめたグラフ図である。  
図７（ｃ）は、距離Ｌ２＝１０ｍの実験結果をまとめたグラフ図である。  
図７（ａ）〜図７（ｃ）に表したように、本願発明者らは、金属線の幅Ｗｓと開口率ＡＲ＝（１−Ｗｓ／Ｐｓ）との関係を用いて透過像のぼける範囲を表すことができることを実験により見出した。
【００４９】
図７（ａ）に表したように、距離Ｌ２＝０．６ｍにおいて、評価値「○」を許容する場合の透過像のぼけの閾値は、一次関数ＤＦ２で表すことができる。一次関数ＤＦ２は、具体的には、Ｗｓ＝−６４７ＡＲ＋４７９である。図７（ａ）において、一次関数ＤＦ２よりも左側の領域が、透過像のぼける領域である。そして、一次関数ＤＦ２よりも右側の領域が、透過像のぼけない領域である。すなわち、幅Ｗｓ及びピッチＰｓが、Ｗｓ≧−６４７ＡＲ＋４７９の関係を満たすようにする。これにより、距離Ｌ２＝０．６ｍの場合において、透過像のぼけを抑制することができる。
【００５０】
また、距離Ｌ２＝０．６ｍにおいて、評価値「○」を許容しない場合の透過像のぼけの閾値は、一次関数ＤＦ３で表すことができる。一次関数ＤＦ３は、具体的には、Ｗｓ＝−６４７ＡＲ＋５４４である。すなわち、幅Ｗｓ及びピッチＰｓが、Ｗｓ≧−６４７ＡＲ＋５４４の関係を満たすようにする。これにより、距離Ｌ２＝０．６ｍの場合において、透過像のぼけをより適切に抑制することができる。
【００５１】
図７（ｂ）に表したように、距離Ｌ２＝１．２ｍにおいて、評価値「○」を許容する場合の透過像のぼけの閾値は、一次関数ＤＦ４で表すことができる。一次関数ＤＦ４は、具体的には、Ｗｓ＝−６４７ＡＲ＋５１１である。図７（ｂ）において、一次関数ＤＦ４よりも左側の領域が、透過像のぼける領域である。そして、一次関数ＤＦ４よりも右側の領域が、透過像のぼけない領域である。すなわち、幅Ｗｓ及びピッチＰｓが、Ｗｓ≧−６４７ＡＲ＋５１１の関係を満たすようにする。これにより、距離Ｌ２＝１．２ｍの場合において、透過像のぼけを抑制することができる。
【００５２】
また、距離Ｌ２＝１．２ｍにおいて、評価値「○」を許容しない場合の透過像のぼけの閾値は、一次関数ＤＦ５で表すことができる。一次関数ＤＦ５は、具体的には、Ｗｓ＝−６４７ＡＲ＋５５７である。すなわち、幅Ｗｓ及びピッチＰｓが、Ｗｓ≧−６４７ＡＲ＋５５７の関係を満たすようにする。これにより、距離Ｌ２＝１．２ｍの場合において、透過像のぼけをより適切に抑制することができる。
【００５３】
図７（ｃ）に表したように、距離Ｌ２＝１０ｍにおいて、評価値「○」を許容する場合の透過像のぼけの閾値は、一次関数ＤＦ６で表すことができる。一次関数ＤＦ６は、具体的には、Ｗｓ＝−６４７ＡＲ＋４９８である。図７（ｃ）において、一次関数ＤＦ６よりも左側の領域が、透過像のぼける領域である。そして、一次関数ＤＦ６よりも右側の領域が、透過像のぼけない領域である。すなわち、幅Ｗｓ及びピッチＰｓが、Ｗｓ≧−６４７ＡＲ＋４９８の関係を満たすようにする。これにより、距離Ｌ２＝１０ｍの場合において、透過像のぼけを抑制することができる。
【００５４】
また、距離Ｌ２＝１０ｍにおいて、評価値「○」を許容しない場合の透過像のぼけの閾値は、一次関数ＤＦ７で表すことができる。一次関数ＤＦ７は、具体的には、Ｗｓ＝−６４７ＡＲ＋５５０である。すなわち、幅Ｗｓ及びピッチＰｓが、Ｗｓ≧−６４７ＡＲ＋５５０の関係を満たすようにする。これにより、距離Ｌ２＝１０ｍの場合において、透過像のぼけをより適切に抑制することができる。
【００５５】
図８は、実験結果の一例を示すグラフ図である。  
図８では、図７（ａ）〜図７（ｃ）から得られた一次関数ＤＦ２〜ＤＦ７をまとめて示している。  
図８に表したように、透過像がぼけるか否かの閾値の境界線は、開口率ＡＲと金属線の幅Ｗｓとがなす平面において、おおよそ一次関数で表すことができる。例えば、開口率ＡＲを大きくすることにより、透過像をぼけ難くすることができる。距離Ｌ２に対する依存性は、比較的小さく、境界線が開口率ＡＲの大小方向に僅かに変化する程度である。
【００５６】
距離Ｌ２の３つの結果のうちでは、距離Ｌ２＝１．２ｍのときに、最も厳しい評価結果が得られた。そこで、第２電極２０においては、距離Ｌ２＝１．２ｍのときの結果を採用する。
【００５７】
第２電極２０において、各導電部２０ａの幅Ｗ１及びピッチＰ１が、Ｗ１≧−６４７ＡＲ＋５１１の関係を満たすようにする。より具体的には、Ｗ１≧−６４７（１−Ｗ１／Ｐ１）＋５１１の関係を満たすようにする。これにより、第２電極２０において、透過像のぼけを抑制することができる。
【００５８】
第２電極２０において、好ましくは、各導電部２０ａの幅Ｗ１及びピッチＰ１が、Ｗ１≧−６４７ＡＲ＋５５７の関係を満たすようにする。より具体的には、Ｗ１≧−６４７（１−Ｗ１／Ｐ１）＋５５７の関係を満たすようにする。これにより、第２電極２０において、透過像のぼけをより適切に抑制することができる。上記の各関係式においても、Ｗｓ、Ｐｓ、Ｗ１、及び、Ｐ１の単位は、それぞれマイクロメートルである。
【００５９】
本実施形態に係る有機電界発光素子１１０では、各導電部２０ａの幅Ｗ１及びピッチＰ１が、Ｗ１≧−６４７（１−Ｗ１／Ｐ１）＋５１１の関係を満たす。これにより、透過像のぼけを抑制できる。従って、透過像の視認性を高めることができる。そして、幅Ｗ１及びピッチＰ１が、Ｗ１≧−６４７（１−Ｗ１／Ｐ１）＋５５７の関係を満たす。これにより、透過像の視認性をより高めることができる。
【００６０】
なお、各導電部２０ａの幅Ｗ１、及び、各導電部２０ａのピッチＰ１は、各導電部２０ａのそれぞれについて、必ずしも同じでなくてもよい。各導電部２０ａの幅Ｗ１及びピッチＰ１は、上記の関係を満足する範囲において、異なっていてもよい。
【００６１】
本願発明者らは、透過像がぼけるか否かについて、さらに実験を行った。実験では、被験者の人数を３人とした。被験者Ｄの視力は、裸眼視力で１．５である。被験者Ｅの視力は、矯正視力で１．５である。被験者Ｆの視力は、矯正視力で０．８である。そして、距離Ｌ２を、０．６ｍ、１．２ｍ、２．４ｍ、４．８ｍ、６ｍ、及び、１０ｍに変化させて評価を行った。その他の実験条件は、上記と実質的に同じである。
【００６２】
図９（ａ）〜図９（ｄ）、図１０（ａ）〜図１０（ｄ）、図１１（ａ）〜図１１（ｄ）、図１２（ａ）〜図１２（ｄ）、図１３（ａ）〜図１３（ｄ）、及び、図１４（ａ）〜図１４（ｄ）は、実験結果の一例を示す表である。  
図９（ａ）〜図９（ｄ）は、Ｌ２＝０．６ｍのときの各試料の評価結果を表す。  
図１０（ａ）〜図１０（ｄ）は、Ｌ２＝１．２ｍのときの各試料の評価結果を表す。  
図１１（ａ）〜図１１（ｄ）は、Ｌ２＝２．４ｍのときの各試料の評価結果を表す。  
図１２（ａ）〜図１２（ｄ）は、Ｌ２＝４．８ｍのときの各試料の評価結果を表す。  
図１３（ａ）〜図１３（ｄ）は、Ｌ２＝６ｍのときの各試料の評価結果を表す。  
図１４（ａ）〜図１４（ｄ）は、Ｌ２＝１０ｍのときの各試料の評価結果を表す。  
また、図９〜図１４において、（ａ）は、幅Ｗｓ＝５０μｍの各試料の評価結果であり、（ｂ）は、幅Ｗｓ＝１００μｍの各試料の評価結果であり、（ｃ）は、幅Ｗｓ＝１５０μｍの各試料の評価結果であり、（ｄ）は、幅Ｗｓ＝２００μｍの各試料の評価結果である。
【００６３】
実験では、各試料のそれぞれについて、各被験者の評価の平均を求めた。図９〜図１４では、被験者全員が、「◎」と判定した試料の平均を「◎」とし、各被験者のいずれか１人でも「○」と判定した試料の平均を「○」とし、被験者全員が、「×」と判定した試料の平均を「×」としている。図９〜図１４に表したように、実験において、透過像のぼけの評価は、被験者の視力や矯正の有無などによって、大きく変化することはなかった。
【００６４】
図１５（ａ）〜図１５（ｆ）は、実験結果の一例を示すグラフ図である。  
図１５（ａ）は、距離Ｌ２＝０．６ｍの実験結果をまとめたグラフ図である。  
図１５（ｂ）は、距離Ｌ２＝１．２ｍの実験結果をまとめたグラフ図である。  
図１５（ｃ）は、距離Ｌ２＝２．４ｍの実験結果をまとめたグラフ図である。  
図１５（ｄ）は、距離Ｌ２＝４．８ｍの実験結果をまとめたグラフ図である。  
図１５（ｅ）は、距離Ｌ２＝６．０ｍの実験結果をまとめたグラフ図である。  
図１５（ｆ）は、距離Ｌ２＝１０．０ｍの実験結果をまとめたグラフ図である。  
図１５（ａ）〜図１５（ｆ）では、各被験者の評価の平均をまとめている。
【００６５】
図１５（ａ）に表したように、距離Ｌ２＝０．６ｍにおいて、評価値「○」を許容する場合の透過像のぼけの閾値は、一次関数ＤＦ２１で表すことができる。一次関数ＤＦ２１は、具体的には、Ｗｓ＝−６４７ＡＲ＋４５９である。また、距離Ｌ２＝０．６ｍにおいて、評価値「○」を許容しない場合の透過像のぼけの閾値は、一次関数ＤＦ２２で表すことができる。一次関数ＤＦ２２は、具体的には、Ｗｓ＝−６４７ＡＲ＋５９５である。
【００６６】
図１５（ｂ）に表したように、距離Ｌ２＝１．２ｍにおいて、評価値「○」を許容する場合の透過像のぼけの閾値は、一次関数ＤＦ２３で表すことができる。一次関数ＤＦ２３は、具体的には、Ｗｓ＝−６４７ＡＲ＋５１１である。また、距離Ｌ２＝１．２ｍにおいて、評価値「○」を許容しない場合の透過像のぼけの閾値は、一次関数ＤＦ２４で表すことができる。一次関数ＤＦ２４は、具体的には、Ｗｓ＝−６４７ＡＲ＋５９５である。
【００６７】
図１５（ｃ）に表したように、距離Ｌ２＝２．４ｍにおいて、評価値「○」を許容する場合の透過像のぼけの閾値は、一次関数ＤＦ２５で表すことができる。一次関数ＤＦ２５は、具体的には、Ｗｓ＝−６４７ＡＲ＋４９２である。また、距離Ｌ２＝２．４ｍにおいて、評価値「○」を許容しない場合の透過像のぼけの閾値は、一次関数ＤＦ２６で表すことができる。一次関数ＤＦ２６は、具体的には、Ｗｓ＝−６４７ＡＲ＋５６３である。
【００６８】
図１５（ｄ）に表したように、距離Ｌ２＝４．８ｍにおいて、評価値「○」を許容する場合の透過像のぼけの閾値は、一次関数ＤＦ２７で表すことができる。一次関数ＤＦ２７は、具体的には、Ｗｓ＝−６４７ＡＲ＋４７９である。また、距離Ｌ２＝４．８ｍにおいて、評価値「○」を許容しない場合の透過像のぼけの閾値は、一次関数ＤＦ２８で表すことができる。一次関数ＤＦ２８は、具体的には、Ｗｓ＝−６４７ＡＲ＋５９５である。
【００６９】
図１５（ｅ）に表したように、距離Ｌ２＝６．０ｍにおいて、評価値「○」を許容する場合の透過像のぼけの閾値は、一次関数ＤＦ２９で表すことができる。一次関数ＤＦ２９は、具体的には、Ｗｓ＝−６４７ＡＲ＋４５９である。また、距離Ｌ２＝６．０ｍにおいて、評価値「○」を許容しない場合の透過像のぼけの閾値は、一次関数ＤＦ３０で表すことができる。一次関数ＤＦ３０は、具体的には、Ｗｓ＝−６４７ＡＲ＋５９５である。
【００７０】
図１５（ｆ）に表したように、距離Ｌ２＝１０．０ｍにおいて、評価値「○」を許容する場合の透過像のぼけの閾値は、一次関数ＤＦ３１で表すことができる。一次関数ＤＦ３１は、具体的には、Ｗｓ＝−６４７ＡＲ＋４５９である。また、距離Ｌ２＝１０．０ｍにおいて、評価値「○」を許容しない場合の透過像のぼけの閾値は、一次関数ＤＦ３２で表すことができる。一次関数ＤＦ３２は、具体的には、Ｗｓ＝−６４７ＡＲ＋５９５である。
【００７１】
図１６は、実験結果の一例を示すグラフ図である。  
図１６では、図１５（ａ）〜図１５（ｆ）から得られた一次関数ＤＦ２１〜ＤＦ３２をまとめて示している。  
図１６に表したように、評価値「○」を許容する場合の最も厳しい評価結果は、ＤＦ２３である。また、評価値「○」を許容しない場合の最も厳しい評価結果は、ＤＦ２２、ＤＦ２４、ＤＦ２８、ＤＦ３０及びＤＦ３２である。すなわち、この実験においても、距離Ｌ２＝１．２ｍのときに、最も厳しい評価結果が得られた。
【００７２】
第２電極２０において、各導電部２０ａの幅Ｗ１及びピッチＰ１が、Ｗ１≧−６４７ＡＲ＋５１１の関係を満たすようにする。より具体的には、Ｗ１≧−６４７（１−Ｗ１／Ｐ１）＋５１１の関係を満たすようにする。これにより、第２電極２０において、透過像のぼけを抑制することができる。
【００７３】
第２電極２０において、好ましくは、各導電部２０ａの幅Ｗ１及びピッチＰ１が、Ｗ１≧−６４７ＡＲ＋５９５の関係を満たすようにする。より具体的には、Ｗ１≧−６４７（１−Ｗ１／Ｐ１）＋５９５の関係を満たすようにする。これにより、第２電極２０において、透過像のぼけをより適切に抑制することができる。上記の各関係式においても、Ｗｓ、Ｐｓ、Ｗ１、及び、Ｐ１の単位は、それぞれマイクロメートルである。
【００７４】
本実施形態に係る有機電界発光素子１１０では、各導電部２０ａの幅Ｗ１及びピッチＰ１が、Ｗ１≧−６４７（１−Ｗ１／Ｐ１）＋５１１の関係を満たす。これにより、透過像のぼけを抑制できる。従って、透過像の視認性を高めることができる。そして、幅Ｗ１及びピッチＰ１が、Ｗ１≧−６４７（１−Ｗ１／Ｐ１）＋５９５の関係を満たす。これにより、透過像の視認性をより高めることができる。
【００７５】
図１７は、第１の実施形態に係る有機電界発光素子の一部を表す模式的断面図である。  図１７に表したように、有機発光層３０は、第１層３１を含む。有機発光層３０は、必要に応じて、第２層３２及び第３層３３の少なくともいずれかをさらに含むことができる。第１層３１は、可視光の波長を含む光を放出する。第２層３２は、第１層３１と第１電極１０との間に設けられる。第３層３３は、第１層３１と第２電極２０との間に設けられる。
【００７６】
第１層３１には、例えば、Ａｌｑ３（トリス(８−ヒドロキシキノリノラト)アルミニウム）、Ｆ８ＢＴ（ポリ(9,9-ジオクチルフルオレン-ｃｏ-ベンゾチアジアゾール）及びＰＰＶ（ポリパラフェニレンビニレン）などの材料を用いることができる。第１層３１には、ホスト材料と、ホスト材料に添加されるドーパントと、の混合材料を用いることができる。ホスト材料としては、例えばＣＢＰ（4,4'−N,N'-ビスジカルバゾリルール−ビフェニル）、ＢＣＰ（2,9−ジメチル-4,7 ジフェニル−1,10−フェナントロリン）、ＴＰＤ（4,4'−ビス−N−3メチルフェニル−N−フェニルアミノビフェニル）、ＰＶＫ（ポリビニルカルバゾール）及びＰＰＴ（ポリ（３−フェニルチオフェン））などを用いることができる。ドーパント材料としては、例えば、Ｆｌｒｐｉｃ（イリジウム(III)ビス(4,6-ジ-フルオロフェニル)-ピリジネート-N,C2'-ピコリネート）、Ｉｒ（ｐｐｙ）３（トリス (２−フェニルピリジン)イリジウム）及びＦｌｒ６（ビス（２，４−ジフルオロフェニルピリジナト）−テトラキス（１−ピラゾリル）ボラート−イリジウム（ＩＩＩ））などを用いることができる。
【００７７】
第２層３２は、例えば、正孔注入層として機能する。正孔注入層は、例えば、ＰＥＤＰＯＴ：ＰＰＳ（ポリ(3,4- エチレンジオキシチオフェン)-ポリ(スチレンスルホン酸)）、ＣｕＰｃ(銅フタロシアニン)、及び、ＭｏＯ３（三酸化モリブデン）などの少なくともいずれかを含む。第２層３２は、例えば正孔輸送層として機能する。正孔輸送層は、例えば、α−ＮＰＤ（4，4'−ビス［N−（1−ナフチル）−N−フェニルアミノ］ビフェニル）、ＴＡＰＣ（1,1-ビス[4-[N,N-ジ(p-トリル)アミノ]フェニル]シクロヘキサン）、ｍ−ＭＴＤＡＴＡ（4,4',4''-トリス[フェニル(m-トリル)アミノ]トリフェニルアミン）、ＴＰＤ（ビス(3-メチルフェニル)-N,N'-ジフェニルベンジジン）、及び、ＴＣＴＡ（4，4'，4"−トリ（N− カルバゾリル）トリフェニルアミン）などの少なくともいずれかを含む。第２層３２は、例えば、正孔注入層として機能する層と、正孔輸送層として機能する層と、の積層構造を有しても良い。第２層３２は、正孔注入層として機能する層及び正孔輸送層として機能する層とは別の層を含んでも良い。
【００７８】
第３層３３は、例えば電子注入層として機能する層を含むことができる。電子注入層は、例えば、フッ化リチウム、フッ化セシウム、及び、リチウムキノリン錯体などの少なくともいずれかを含む。第３層３３は、例えば、電子輸送層として機能する層を含むことができる。電子輸送層は、例えば、Ａｌｑ３（トリス（8キノリノラト）アルミニウム（III））、ＢＡｌｑ(ビス（２−メチル−８− キノリラト）(ｐ−フェニルフェノラート)アルミニウム)、Ｂｐｈｅｎ（バソフェナントロリン）、及び、３ＴＰＹＭＢ（トリス[３−(３−ピリジル)−メシチル]ボラン）などの少なくともいずれかを含む。第３層３３は、例えば、電子注入層として機能する層と、電子輸送層として機能する層と、の積層構造を有しても良い。第３層３３は、電子注入層として機能する層及び電子輸送層として機能する層とは別の層を含んでも良い。
【００７９】
例えば、有機発光層３０から放出される光は、実質的に白色光である。すなわち、有機電界発光素子１１０から出射する光は白色光である。ここで、「白色光」は、実質的に白色であり、例えば、赤色系、黄色系、緑色系、青色系及び紫色系などの白色の光も含む。
【００８０】
第１電極１０は、例えば、Ｉｎ、Ｓｎ、Ｚｎ及びＴｉよりなる群から選択された少なくともいずれかの元素を含む酸化物を含む。第１電極１０には、例えば、酸化インジウム、酸化亜鉛、酸化錫、インジウム錫酸化物（ＩＴＯ：Indium Tin Oxide）膜、フッ素ドープ酸化錫（ＦＴＯ）、インジウム亜鉛酸化物を含む導電性ガラスを用いて作製された膜（例えばＮＥＳＡなど）、金、白金、銀、及び、銅などを用いることができる。第１電極１０は、例えば、陽極として機能する。
【００８１】
第２電極２０は、例えば、アルミニウム及び銀の少なくともいずれかを含む。例えば、第２電極２０には、アルミニウム膜が用いられる。さらに、第２電極２０として、銀とマグネシウムとの合金を用いても良い。この合金にカルシウムを添加しても良い。第２電極２０は、例えば、陰極として機能する。
【００８２】
または、第１電極１０を光反射性の電極と光透過性の電極（例えば透明電極）との積層構造とし、ストライプ状または、格子状にパターニングし、第２電極２０を光透過性の電極（例えば透明電極）としてもよい。これにより、トップエミッション型の有機電界発光素子１１０とすることが可能となる。
【００８３】
なお、第１電極１０を陰極とし、第２電極２０を陽極とし、第２層３２を電子注入層または電子輸送層として機能させ、第３層３３を正孔注入層または正孔輸送層として機能させてもよい。
【００８４】
絶縁層４０には、例えば、ポリイミド樹脂、アクリル樹脂などの絶縁性の樹脂材料や、シリコン酸化膜（例えばＳｉＯ２）、シリコン窒化膜（例えばＳｉＮ）、または、シリコン酸窒化膜などの絶縁性の無機材料が用いられる。
【００８５】
第１電極１０の厚さ（Ｚ軸方向の長さ）は、例えば、１０ｎｍ以上５００ｎｍ以下である。より好ましくは、５０ｎｍ以上２００ｎｍ以下である。絶縁部４０ａの厚さは、例えば、１μｍ以上１００μｍ以下である。有機発光層３０の厚さは、例えば、５０ｎｍ以上５００ｎｍ以下である。第２電極２０（導電部２０ａ）の厚さは、例えば、１０ｎｍ以上３００ｎｍ以下である。導電部２０ａの幅Ｗ１（Ｘ軸方向の長さ）は、例えば、１μｍ以上５００μｍ以下である。複数の導電部２０ａのピッチＰ１は、例えば、２μｍ以上２０００μｍ以下である。より好ましくは、２μｍ以上２００μｍ以下である。絶縁部４０ａの幅Ｗ２は、例えば、１μｍ以上１５００μｍ以下である。絶縁部４０ａのピッチＰｔ２は、例えば、２μｍ以上２０００μｍ以下である。
【００８６】
上記の数値範囲において、各導電部２０ａの幅Ｗ１及びピッチＰ１が、Ｗ１≧−６４７（１−Ｗ１／Ｐ１）＋５１１の関係を満たすようにする。これにより、透過像の高い視認性を得ることができる。
【００８７】
図１８は、第１の実施形態に係る別の有機電界発光素子の一部を表す模式的平面図である。  
図１８に表したように、第２電極２０のパターン形状は、櫛刃状でもよい。すなわち、第２電極２０は、Ｙ軸方向に延びＸ軸方向に並ぶ複数の導電部２０ａと、各導電部２０ａをつなぐ部分と、を含んでもよい。このように、導電部２０ａは、第２電極２０のうちの一部分でよい。
【００８８】
図１９（ａ）及び図１９（ｂ）は、第１の実施形態に係る別の有機電界発光素子を表す模式的断面図である。  
図１９（ａ）に表したように、有機電界発光素子１１１では、有機発光層３０が、第１電極１０の上面１０ａの上に設けられている。すなわち、絶縁層４０が省略されている。有機発光層３０は、例えば、上面１０ａに接する。このように、絶縁層４０は、必要に応じて設けられ、省略可能である。
【００８９】
図１９（ｂ）に表したように、有機電界発光素子１１２では、有機発光層３０が、複数の発光部３０ｅを含む。複数の発光部３０ｅのそれぞれは、複数の導電部２０ａのそれぞれと第１電極１０とのそれぞれの間に設けられる。このように、有機発光層３０は、第１電極１０の全体の上に設けられていなくてもよい。有機発光層３０は、第１電極１０と導電部２０ａとの間に設けられた部分を少なくとも含んでいればよい。すなわち、有機発光層３０は、発光領域ＥＡとなる部分を少なくとも含んでいればよい。
【００９０】
図２０（ａ）〜図２０（ｃ）は、第１の実施形態に係る別の有機電界発光素子を表す模式図である。  
図２０（ａ）は、有機電界発光素子１１３の模式的断面図であり、図２０（ｂ）は、有機電界発光素子１１３の模式的平面図である。図２０（ａ）は、図２０（ｂ）のＢ１−Ｂ２線断面を模式的に表す。図２０（ｃ）は、有機電界発光素子１１３の一部をＸ−Ｙ平面に投影したときの投影像ＰＩＭ１を表す。  
図２０（ａ）〜図２０（ｃ）に表したように、有機電界発光素子１１３の積層体ＳＢは、第１配線層５１（配線層）を、さらに含む。
【００９１】
第１配線層５１は、上面１０ａに対して平行な平面に沿って延在する。すなわち、第１配線層５１は、Ｘ−Ｙ平面内に延在する。この例において、第１配線層５１は、第１電極１０の上面１０ａの上に設けられる。第１配線層５１は、例えば、第１電極１０と絶縁層４０との間に設けられる。第１配線層５１は、第１電極１０の上面１０ａと反対側の面に設けてもよい。
【００９２】
第１配線層５１は、導電性の第１配線部５１ａ（配線部）を含む。第１配線層５１は、例えば、複数の第１配線部５１ａを含む。第１配線部５１ａは、第１電極１０と絶縁部４０ａとの間に設けられる。複数の第１配線部５１ａのそれぞれは、例えば、Ｙ軸方向に延び、Ｘ軸方向に並ぶ。複数の第１配線部５１ａのそれぞれの間隔は、例えば、一定である。また、複数の第１配線部５１ａのそれぞれの間隔は、例えば、複数の導電部２０ａのそれぞれの間隔よりも広い。この例において、第１配線層５１のパターン形状は、ストライプ状である。第１配線層５１のパターン形状は、櫛刃状などでもよい。第１配線層５１は、第１電極１０の一部を露出させる。換言すれば、第１配線層５１は、第１電極１０の一部を露出させる１つまたは複数の開口部を有する。
【００９３】
第１配線層５１は、第１電極１０と電気的に接続される。第１配線層５１は、例えば、第１電極１０に接する。第１配線層５１の導電率は、第１電極１０の導電率よりも高い。第１配線層５１は、光反射性を有する。第１配線層５１の光反射率は、第１電極１０の光反射率よりも高い。第１配線層５１は、例えば、金属配線である。第１配線層５１は、例えば、第１電極１０に流れる電流を伝達する補助電極として機能する。これにより、有機電界発光素子１１３では、例えば、第１電極１０の上面１０ａと平行な方向に流れる電流量を、有機電界発光素子１１０に比べて均一にできる。例えば、面内の発光輝度をより均一にできる。
【００９４】
図２０（ｃ）に表したように、有機電界発光素子１１３において、第２電極２０及び第１配線層５１をＸ−Ｙ平面に投影したときの投影像ＰＩＭ１は、複数の導電部２０ａのそれぞれの複数の投影像２０ｐと、複数の第１配線部５１ａのそれぞれの複数の投影像５１ｐと、を含む。投影像ＰＩＭ１は、すなわち、有機電界発光素子１１３の光反射性の部分の形状である。
【００９５】
第１配線部５１ａの幅をＷｈ１（Ｗｈ）とする。導電部２０ａの投影像２０ｐと第１配線部５１ａの投影像５１ｐとのピッチをＰｐ１（Ｐｐ）とする。幅Ｗｈ１は、例えば、第１配線部５１ａのＸ軸方向の長さである。ピッチＰｐ１は、例えば、導電部２０ａのＸ軸方向の中心と第１配線部５１ａのＸ軸方向の中心との間のＸ軸方向の距離である。
【００９６】
有機電界発光素子１１３は、導電部２０ａの幅Ｗ１と投影像のピッチＰｐ１とが、Ｗ１≧−６４７（１−Ｗ１／Ｐｐ１）＋５１１の関係を満たす。さらに、第１配線部５１ａの幅Ｗｈ１と投影像のピッチＰｐ１とが、Ｗｈ１≧−６４７（１−Ｗｈ１／Ｐｐ１）＋５１１の関係を満たす。すなわち、有機電界発光素子１１３の光反射性の部分の形状において、有機電界発光素子１１０に関して説明した幅及びピッチの関係を満足するようにする。
【００９７】
これにより、有機電界発光素子１１３においても、透過像の高い視認性を得ることができる。但し、上記の関係式において、Ｗ１、Ｗｈ１及びＰｐ１のそれぞれの単位は、マイクロメートルである。
【００９８】
第１配線層５１は、例えば、Ｍｏ、Ｔａ、Ｎｂ、Ａｌ、Ｎｉ及びＴｉよりなる群から選択された、少なくともいずれかの元素を含む。第１配線層５１は、例えば、この群から選択された元素を含む混合膜とすることができる。第１配線層５１は、それらの元素を含む積層膜とすることができる。第１配線層５１には、例えばＮｂ／Ｍｏ／Ａｌ／Ｍｏ／Ｎｂの積層膜を用いることができる。第１配線層５１は、例えば、第１電極１０の電位降下を抑制する補助電極として機能する。第１配線層５１は、電流供給のためのリード電極として機能することができる。
【００９９】
図２１（ａ）及び図２１（ｂ）は、第１の実施形態に係る別の有機電界発光素子を表す模式図である。  
図２１（ａ）は、有機電界発光素子１２１の模式的断面図であり、図２１（ｂ）は、有機電界発光素子１２１の模式的平面図である。図２１（ａ）は、図２１（ｂ）のＣ１−Ｃ２線断面である。  
図２１（ａ）及び図２１（ｂ）に表したように、有機電界発光素子１２１では、第２電極２０が、有機発光層３０の上に設けられる。例えば、第２電極２０が、有機発光層３０の全体の上に設けられる。この例において、第２電極２０は、光透過性を有する。第２電極２０は、例えば、透明である。
【０１００】
これにより、有機電界発光素子１２１では、第１電極１０と第２電極２０とを用いて有機発光層３０に電流を流すと、発光領域ＥＡから発せられた発光ＥＬが、第１電極１０を介して有機電界発光素子１２１の外部に出射するとともに、第２電極２０を介して有機電界発光素子１２１の外部に出射する。すなわち、有機電界発光素子１２１は、両面発光型である。
【０１０１】
有機電界発光素子１２１において、積層体ＳＢは、第１配線層５１を含む。第１配線層５１は、第１電極１０と絶縁層４０との間に設けられる。第１配線層５１は、複数の第１配線部５１ａを含む。この例では、複数の第１配線部５１ａのそれぞれが、例えば、Ｘ−Ｙ平面に投影したときに、複数の絶縁部４０ａのそれぞれと重なる位置に配置される。複数の第１配線部５１ａのそれぞれは、必ずしも複数の絶縁部４０ａのそれぞれと重ならなくてもよい。
【０１０２】
第１配線部５１ａの幅をＷｈ１とする。複数の第１配線部５１ａのそれぞれのピッチをＰｈ１とする。ピッチＰｈ１は、例えば、隣り合う２つの第１配線部５１ａのＸ軸方向の中心間のＸ軸方向の距離である。
【０１０３】
有機電界発光素子１２１は、幅Ｗｈ１とピッチＰｈ１とが、Ｗｈ１≧−６４７（１−Ｗｈ１／Ｐｈ１）＋５１１の関係を満たす。
【０１０４】
これにより、有機電界発光素子１２１においても、透過像の高い視認性を得ることができる。但し、上記の関係式において、Ｗｈ１及びＰｈ１のそれぞれの単位は、マイクロメートルである。
【０１０５】
光透過性の第２電極２０には、例えば、第１電極１０に関して説明した材料を用いることができる。また、光透過性の第２電極２０は、例えば、ＭｇＡｇなどの金属材料でもよい。金属材料において、第２電極２０の厚さを５ｎｍ以上２０ｎｍ以下とする。これにより、適切な光透過性を得ることができる。
【０１０６】
図２２（ａ）及び図２２（ｂ）は、第１の実施形態に係る別の有機電界発光素子を表す模式図である。  
図２２（ａ）は、有機電界発光素子１２２の模式的断面図であり、図２２（ｂ）は、有機電界発光素子１２２の模式的平面図である。図２２（ａ）は、図２２（ｂ）のＤ１−Ｄ２線断面である。  
図２２（ａ）及び図２２（ｂ）に表したように、有機電界発光素子１２２では、積層体ＳＢが、第２配線層５２（配線層）をさらに含む。第２配線層５２は、第２電極２０の上に設けられる。第２配線層５２は、複数の第２配線部５２ａ（配線部）を有する。複数の第２配線部５２ａのそれぞれは、Ｙ軸方向に延び、Ｘ軸方向に並ぶ。第２配線層５２は、第２電極２０の一部を露呈させる。第２配線層５２は、例えば、複数の第２配線部５２ａのそれぞれの間において、第２電極２０の一部を露呈させる。この例において、第２配線層５２は、ストライプ状のパターン形状である。第２配線層５２のパターン形状は、例えば、櫛刃状などでもよい。
【０１０７】
この例において、複数の第２配線部５２ａのそれぞれは、Ｘ−Ｙ平面に投影したときに、複数の絶縁部４０ａのそれぞれと重ならない位置に配置される。複数の第２配線部５２ａのそれぞれは、例えば、Ｘ−Ｙ平面に投影したときに、複数の絶縁部４０ａのそれぞれと重なる位置に配置してもよい。
【０１０８】
第２配線層５２は、第２電極２０と電気的に接続される。第２配線層５２は、例えば、第２電極２０に接する。第２配線層５２の導電率は、第２電極２０の導電率よりも高い。第２配線層５２は、光反射性を有する。第２配線層５２の光反射率は、第２電極２０の光反射率よりも高い。第２配線層５２は、例えば、金属配線である。第２配線層５２は、例えば、第２電極２０に流れる電流を伝達する補助電極として機能する。これにより、有機電界発光素子１２２では、例えば、第２電極２０のＸ−Ｙ平面方向に流れる電流量をより均一にできる。例えば、面内の発光輝度をより均一にできる。
【０１０９】
第２配線部５２ａの幅をＷｈ２（Ｗｈ）とする。複数の第２配線部５２ａのそれぞれのピッチをＰｈ２（Ｐｈ）とする。幅Ｗｈ２は、例えば、第２配線部５２ａのＸ軸方向の長さである。ピッチＰｈ２は、例えば、隣り合う２つの第１配線部５１ａのＸ軸方向の中心間のＸ軸方向の距離である。
【０１１０】
有機電界発光素子１２２は、幅Ｗｈ２とピッチＰｈ２とが、Ｗｈ２≧−６４７（１−Ｗｈ２／Ｐｈ２）＋５１１の関係を満たす。
【０１１１】
これにより、有機電界発光素子１２２においても、透過像の高い視認性を得ることができる。但し、上記の関係式において、Ｗｈ２及びＰｈ２のそれぞれの単位は、マイクロメートルである。
【０１１２】
第２配線層５２は、例えば、第２電極２０と有機発光層３０との間に設けてもよい。第２配線層５２には、例えば、第１配線層５１に関して説明した材料を用いることができる。
【０１１３】
図２３（ａ）及び図２３（ｂ）は、第１の実施形態に係る別の有機電界発光素子を表す模式図である。  
図２３（ａ）は、有機電界発光素子１２３の模式的断面図である。図２３（ｂ）は、有機電界発光素子１２３の一部をＸ−Ｙ平面に投影したときの投影像ＰＩＭ２を表す。  
図２３（ａ）及び図２３（ｂ）に表したように、有機電界発光素子１２３の積層体ＳＢは、第１配線層５１及び第２配線層５２を、含む。
【０１１４】
各第１配線部５１ａは、例えば、Ｘ−Ｙ平面に投影したときに、各絶縁部４０ａと重なる位置に配置される。各第１配線部５１ａは、例えば、各絶縁部４０ａと重ならない位置に配置してもよい。各第１配線部５１ａの第１電極１０上の位置は、任意である。各第２配線部５２ａは、例えば、Ｘ−Ｙ平面に投影したときに、各絶縁部４０ａと重ならない位置に配置される。各第２配線部５２ａは、例えば、Ｘ−Ｙ平面に投影したときに、各絶縁部４０ａと重なる位置に配置してもよい。各第２配線部５２ａの第２電極２０上の位置は、任意である。
【０１１５】
図２３（ｂ）に表したように、有機電界発光素子１２３において、第１配線層５１及び第２配線層５２をＸ−Ｙ平面に投影したときの投影像ＰＩＭ２は、複数の第１配線部５１ａのそれぞれの複数の投影像５１ｐと、複数の第２配線部５２ａのそれぞれの複数の投影像５２ｐと、を含む。
【０１１６】
第１配線部５１ａの幅をＷｈ１（Ｗｈ）とする。第１配線部５１ａの投影像５１ｐと第２配線部５２ａの投影像５２ｐとのピッチをＰｐ２（Ｐｐ）とする。ピッチＰｐ２は、例えば、第１配線部５１ａのＸ軸方向の中心と第２配線部５２ａのＸ軸方向の中心との間のＸ軸方向の距離である。
【０１１７】
有機電界発光素子１２３は、第１配線部５１ａの幅Ｗｈ１と投影像のピッチＰｐ２とが、Ｗｈ１≧−６４７（１−Ｗｈ１／Ｐｐ２）＋５１１の関係を満たす。さらに、第２配線部５２ａの幅Ｗｈ２と投影像のピッチＰｐ２とが、Ｗｈ２≧−６４７（１−Ｗｈ２／Ｐｐ２）＋５１１の関係を満たす。
【０１１８】
これにより、有機電界発光素子１２３においても、透過像の高い視認性を得ることができる。但し、上記の関係式において、Ｗｈ１、Ｗｈ２及びＰｐ１のそれぞれの単位は、マイクロメートルである。
【０１１９】
図２４は、第１の実施形態に係る別の有機電界発光素子を表す模式的断面図である。  
図２４に表したように、有機電界発光素子１３０は、第１基板８１と、第２基板８２と、シール部８５と、をさらに含む。  
第１電極１０は、第１基板８１の上に設けられる。積層体ＳＢは、第１基板８１の上に設けられる。第１基板８１は、光透過性を有する。第２基板８２は、積層体ＳＢの上に設けられ、第１基板８１と対向する。第２基板８２は、光透過性を有する。この例において、積層体ＳＢの構成は、有機電界発光素子１１０に関して説明した構成と同じである。積層体ＳＢの構成は、有機電界発光素子１１１〜１１３、１２１〜１２３に関して説明した構成でもよい。
【０１２０】
シール部８５は、例えば、第１基板８１及び第２基板８２の外縁に沿って環状に設けられ、第１基板８１と第２基板８２とを接着する。これにより、第１基板８１と第２基板８２とによって、積層体ＳＢが封止される。有機電界発光素子１３０では、第１基板８１と第２基板８２との間のＺ軸方向の距離をシール部８５によって規定している。この構成は、例えば、シール部８５に粒状のスペーサ（図示は省略）を含めることによって実現できる。例えば、シール部８５に粒状の複数のスペーサを分散させ、複数のスペーサの径によって、第１基板８１と第２基板８２との間の距離が規定される。
【０１２１】
有機電界発光素子１３０において、シール部８５の厚さ（Ｚ軸方向に沿う長さ）は、例えば、１μｍ以上１００μｍ以下である。より好ましくは、例えば、５μｍ以上２０μｍ以下である。これにより、例えば、水分の浸入などを抑えることができる。シール部８５の厚さは、例えば、シール部８５に分散させるスペーサの径と実質的に同じである。
【０１２２】
有機電界発光素子において、第２基板８２に積層体ＳＢを収容する凹部を設ける構成がある。この構成では、第２基板８２の形成が難しくなる。例えば、有機電界発光素子のコストアップを招く。
【０１２３】
これに対して、本実施形態に係る有機電界発光素子１３０では、第１基板８１と第２基板８２との間の距離をシール部８５で規定している。これにより、例えば、平板状の第２基板８２を用いることができる。例えば、第２基板８２の形成を容易にできる。有機電界発光素子１３０のコストアップを抑えることができる。
【０１２４】
積層体ＳＢと第２基板８２との間の空間には、例えば、不活性ガスなどが充填される。積層体ＳＢと第２基板８２との間に、乾燥剤などを設けてもよい。積層体ＳＢと第２基板８２との間の空間は、例えば、空気層でもよい。積層体ＳＢと第２基板８２との間の空間には、例えば、液状のアクリル系樹脂やエポキシ系樹脂などを充填してもよい。アクリル系樹脂やエポキシ系樹脂には乾燥材として酸化カルシウムや酸化バリウムを添加させてもよい。
【０１２５】
第１基板８１及び第２基板８２には、例えば、ガラス基板、または、樹脂基板などが用いられる。シール部８５には、例えば、紫外線硬化樹脂などが用いられる。
【０１２６】
（第２の実施形態）  
図２５は、第２の実施形態に係る照明装置を表す模式図である。  
図２５に表したように、本実施形態に係る照明装置２１０は、第１の実施形態に係る有機電界発光素子（例えば有機電界発光素子１３０）と、電源部２０１と、を備える。
【０１２７】
電源部２０１は、第１電極１０と第２電極２０とに電気的に接続される。電源部２０１は、第１電極１０及び第２電極２０を介して有機発光層３０に電流を供給する。  
本実施形態に係る照明装置２１０によれば、透過像の視認性の高い照明装置を提供できる。
【０１２８】
（第３の実施形態）  
図２６（ａ）及び図２６（ｂ）は、第３の実施形態に係る照明システムを表す模式図である。  
図２６（ａ）に表したように、本実施形態に係る照明システム３１１は、第１の実施形態に係る複数の有機電界発光素子（例えば有機電界発光素子１３０）と、制御部３０１と、を備える。
【０１２９】
制御部３０１は、複数の有機電界発光素子１３０のそれぞれと電気的に接続され、複数の有機電界発光素子１３０のそれぞれの点灯・消灯を制御する。制御部３０１は、例えば、複数の有機電界発光素子１３０のそれぞれの第１電極１０及び第２電極２０と電気的に接続される。これにより、制御部３０１は、複数の有機電界発光素子１３０のそれぞれの点灯・消灯を個別に制御する。
【０１３０】
図２６（ｂ）に表したように、照明システム３１２では、複数の有機電界発光素子１３０のそれぞれが、直列に接続されている。制御部３０１は、複数の有機電界発光素子１３０のうちの１つの有機電界発光素子１３０の第１電極１０と電気的に接続される。そして、制御部３０１は、複数の有機電界発光素子１３０のうちの別の１つの有機電界発光素子１３０の第２電極２０と電気的に接続される。これにより、制御部３０１は、複数の有機電界発光素子１３０のそれぞれの点灯・消灯をまとめて制御する。このように、制御部３０１は、複数の有機電界発光素子１３０のそれぞれの点灯・消灯を個別に制御してもよいし、まとめて制御してもよい。  
本実施形態に係る照明システム３１１、３１２によれば、透過像の視認性の高い照明システムを提供できる。
【０１３１】
実施形態によれば、透過像の視認性の高い有機電界発光素子、照明装置及び照明システムが提供される。
【０１３２】
なお、本願明細書において、「垂直」及び「平行」は、厳密な垂直及び厳密な平行だけではなく、例えば製造工程におけるばらつきなどを含むものであり、実質的に垂直及び実質的に平行であれは良い。
【０１３３】
以上、具体例を参照しつつ、本発明の実施の形態について説明した。しかし、本発明の実施形態は、これらの具体例に限定されるものではない。例えば、有機電界発光素子に含まれる、第１電極、第２電極、有機発光層、第１配線層、第２配線層、並びに、照明装置に含まれる電源部、照明システムに含まれる制御部などの各要素の具体的な構成に関しては、当業者が公知の範囲から適宜選択することにより本発明を同様に実施し、同様の効果を得ることができる限り、本発明の範囲に包含される。  
また、各具体例のいずれか２つ以上の要素を技術的に可能な範囲で組み合わせたものも、本発明の要旨を包含する限り本発明の範囲に含まれる。
【０１３４】
その他、本発明の実施の形態として上述した有機電界発光素子、照明装置及び照明システムを基にして、当業者が適宜設計変更して実施し得る全ての有機電界発光素子、照明装置及び照明システムも、本発明の要旨を包含する限り、本発明の範囲に属する。
【０１３５】
その他、本発明の思想の範疇において、当業者であれば、各種の変更例及び修正例に想到し得るものであり、それら変更例及び修正例についても本発明の範囲に属するものと了解される。
【０１３６】
本発明のいくつかの実施形態を説明したが、これらの実施形態は、例として提示したものであり、発明の範囲を限定することは意図していない。これら新規な実施形態は、その他の様々な形態で実施されることが可能であり、発明の要旨を逸脱しない範囲で、種々の省略、置き換え、変更を行うことができる。これら実施形態やその変形は、発明の範囲や要旨に含まれるとともに、特許請求の範囲に記載された発明とその均等の範囲に含まれる。
【符号の説明】
【０１３７】
１０…第１電極、  １０ａ…上面、  ２０…第２電極、  ２０ａ…導電部、  ２０ｂ…開口部、  ３０…有機発光層、  ４０…絶縁層、  ４０ａ…絶縁部、  ４０ｂ…開口部、  ５１…第１配線層、  ５１ａ…第１配線部、  ５２…第２配線層、  ５２ａ…第２配線部、  ８１…第１基板、  ８２…第２基板、  ８５…シール部、  １１０〜１１３、１２１〜１２３、１３０…有機電界発光素子、  ２０１…電源部、  ２１０…照明装置、  ３０１…制御部、  ３１１、３１２…照明システム、  ＳＢ…積層体
【要約】
【課題】透過像の視認性の高い有機電界発光素子、照明装置及び照明システムを提供する。
【解決手段】実施形態によれば、第１電極と、有機発光層と、第２電極と、を備えた有機電界発光素子が提供される。第１電極は、上面を有し、光透過性である。有機発光層は、第１電極の上に設けられる。第２電極は、有機発光層の上に設けられ、上面に対して平行な第１方向に延び上面に対して平行で第１方向に対して交差する第２方向に並ぶ複数の導電部を含み、光反射性である。複数の導電部のそれぞれの第２方向の長さをＷ１（マイクロメートル）とする。複数の導電部のそれぞれのピッチをＰ１（マイクロメートル）とする。Ｗ１とＰ１とが、Ｗ１≧−６４７（１−Ｗ１／Ｐ１）＋５１１の関係を満たす。
【選択図】図１【図１】
0005584329.tif 000002
【図２】
0005584329.tif 000003
【図３】
0005584329.tif 000004
【図４】
0005584329.tif 000005
【図５】
0005584329.tif 000006
【図６】
0005584329.tif 000007
【図７】
0005584329.tif 000008
【図８】
0005584329.tif 000009
【図９】
0005584329.tif 000010
【図１０】
0005584329.tif 000011
【図１１】
0005584329.tif 000012
【図１２】
0005584329.tif 000013
【図１３】
0005584329.tif 000014
【図１４】
0005584329.tif 000015
【図１５】
0005584329.tif 000016
【図１６】
0005584329.tif 000017
【図１７】
0005584329.tif 000018
【図１８】
0005584329.tif 000019
【図１９】
0005584329.tif 000020
【図２０】
0005584329.tif 000021
【図２１】
0005584329.tif 000022
【図２２】
0005584329.tif 000023
【図２３】
0005584329.tif 000024
【図２４】
0005584329.tif 000025
【図２５】
0005584329.tif 000026
【図２６】
0005584329.tif 000027